(57)【特許請求の範囲】
【請求項１】
建物内の水平方向又は略水平方向に延びる設置面に設けられてかつ上方に空調空気を吹き出す吹出口グリルに取り付けられ、前記吹出口グリルの吹出口を被空調空間側から覆うカバーであって、
前記吹出口グリルは、前記吹出口に所定間隔で設けられている複数のルーバーを備え、
前記ルーバー間の隙間に挿入されることで前記設置面が延びる方向への位置ずれを規制する規制部を備え、
前記規制部は、前記ルーバーに対して引っ掛けられる引っ掛け部であり、
前記引っ掛け部は、シート材の切り込みにて形成され、前記ルーバー間の隙間よりも大きい幅を有する拡張部を含むことを特徴とする吹出口グリルのカバー。
【請求項２】
前記各ルーバーは、薄板状をなし、鉛直方向又は鉛直方向に対して傾斜した方向に板面が延びる向きでそれぞれ設けられ、
前記引っ掛け部は、前記シート材の切り込みとして、前記拡張部と、該拡張部よりも折り倒し基端側のアーム部とを含み、
前記アーム部は、前記拡張部を前記板面に沿って前記ルーバー間の隙間に押し込み可能に形成されていることを特徴とする請求項１に記載の吹出口グリルのカバー。
【請求項３】
前記引っ掛け部として、前記シート材において、基端部からの折り倒しにより前記ルーバー間の隙間に挿入可能な一対の切り込みが形成され、
前記一対の切り込みは、平面視で前記ルーバーが延びる方向において前記基端部をシート外側にし、前記折り倒し先端をシート内側にして並べて設けられていることを特徴とする請求項１又は２に記載の吹出口グリルのカバー。
【請求項４】
前記規制部は、前記ルーバー間の隙間に入り込む凹部を含むことを特徴とする請求項１〜３のいずれか１項に記載の吹出口グリルのカバー。
【請求項５】
前記凹部は、平面視で前記ルーバーが延びる方向に沿って延びる長尺状のものであることを特徴とする請求項４に記載の吹出口グリルのカバー。
【請求項６】
前記吹出口グリルに取り付けられている状態において、当該カバーを空調空気が通過することに伴い音を発生する音発生部を備えていることを特徴とする請求項１〜５のいずれか１項に記載の吹出口グリルのカバー。
【発明の詳細な説明】
【技術分野】
【０００１】
本発明は、建物内の水平方向又は略水平方向に延びる設置面に設けられてかつ上方に空調空気を吹き出す吹出口グリルに取り付けられるカバーに関するものである。
【背景技術】
【０００２】
建物内の床面等の設置面に空調用の吹出口グリルが取り付けられている構成では、吹出口グリルからその上方に空調空気が吹き出されることにより、建物内の空調が行われる。ここで、建物内の空調が行われない時期には、吹出口グリルの吹出口からその内部に埃等の異物が入り込むおそれがある。そこで、吹出口グリルの吹出口から埃等の異物が入り込むことを防止する技術が望まれる。異物の入り込みを防止する技術としては、特許文献１に記載されているように、システムキッチンのグリル排気口を覆うカバーが知られている。このカバーは、料理中において吹きこぼれた油等がグリル排気口に入り込むのを防止するためのものである。
【先行技術文献】
【特許文献】
【０００３】
【特許文献１】特開平７−２１７８９３号公報
【発明の概要】
【発明が解決しようとする課題】
【０００４】
しかしながら、上記特許文献１に記載された技術は、キッチン用グリルに関するものであり、空調用の吹出口グリルに関するものではない。ここで、空調用の吹出口グリルでは、吹出口をカバーで覆う場合にそのカバーの位置ずれが生じる要因が多い。この要因としては、例えば、吹出口グリル付近を人が通行したり、吹出口グリル付近に置かれた物が移動されたりするといったものが挙げられる。このため、吹出口をカバーで覆う場合にそのカバーの位置ずれを防止する対策が必要となる。
【０００５】
本発明は、上記課題を解決するためになされたものであり、その目的は、上方に空調空気を吹き出す吹出口グリルの吹出口からその内部に異物が入り込むことを防止できる吹出口グリルのカバーを提供することにある。
【課題を解決するための手段】
【０００６】
第１の発明は、建物内の水平方向又は略水平方向に延びる設置面に設けられてかつ上方に空調空気を吹き出す吹出口グリルに取り付けられ、前記吹出口グリルの吹出口を被空調空間側から覆うカバーであって、前記吹出口グリルは、前記吹出口に所定間隔で設けられている複数のルーバーを備え、前記ルーバー間の隙間に挿入されることで前記設置面が延びる方向への位置ずれを規制する規制部を備えることを特徴とする。
【０００７】
上記発明のカバーは、ルーバー間の隙間に挿入されることで、吹出口グリルが設けられる設置面が延びる方向への位置ずれを規制する規制部を備えている。このため、吹出口を覆うカバーが吹出口からずれることを防止することができる。これにより、吹出口グリルの吹出口からその内部に異物が入り込むことを防止することができる。
【０００８】
第２の発明は、前記規制部は、前記ルーバーに対して引っ掛けられる引っ掛け部であることを特徴とする。
【０００９】
上記発明の引っ掛け部によれば、カバーをルーバーに的確に取り付けることができる。このため、吹出口を覆うカバーが吹出口からずれることを的確に防止することができる。
【００１０】
第３の発明は、前記引っ掛け部は、シート材の切り込みにて形成され、前記ルーバー間の隙間よりも大きい幅を有する拡張部を含むことを特徴とする。
【００１１】
上記発明では、引っ掛け部がシート材の切り込みにて形成されている。そして、引っ掛け部は、その幅がルーバー間の隙間よりも大きい拡張部を有している。このため、カバーが吹出口グリルに載置されている状態で、引っ掛け部をルーバー間の隙間に押し込むことにより、ルーバー間の隙間に引っ掛け部が押し込まれる。この際、拡張部がルーバーに引っかかる。これにより、カバーを吹出口グリルに取り付けることができ、カバーの水平方向のずれに加えて、上方へのずれを防止することができる。また上記発明によれば、引っ掛け部を押し込むといった簡易な方法により、カバーを吹出口グリルに取り付けることができる。
【００１２】
さらに上記発明では、引っ掛け部がカバーの切り込みにて形成されている。このため、吹出口グリルに取り付けない状態でカバーを運搬したり保管したりする場合、カバーを面状の平坦な部材として取り扱うことができる。これにより、保管時等においてカバーがかさばることを回避することができる。
【００１３】
第４の発明は、前記各ルーバーは、薄板状をなし、鉛直方向又は鉛直方向に対して傾斜した方向に板面が延びる向きでそれぞれ設けられ、前記引っ掛け部は、前記シート材の切り込みとして、前記拡張部と、該拡張部よりも折り倒し基端側のアーム部とを含み、前記アーム部は、前記拡張部を前記板面に沿って前記ルーバー間の隙間に押し込み可能に形成されていることを特徴とする。
【００１４】
上記発明では、拡張部を、ルーバーの板面に沿ってルーバー間の隙間に押し込むことができる。このため、引っ掛け部をルーバー間の隙間に押し込む場合のアーム部のねじれを抑制できる。これにより、引っ掛け部をルーバー間の隙間に容易に押し込むことができ、カバーの取り付け性を向上できる。
【００１５】
第５の発明は、前記引っ掛け部として、シート材において、基端部からの折り倒しにより前記ルーバー間の隙間に挿入可能な一対の切り込みが形成され、前記一対の切り込みは、平面視で前記ルーバーが延びる方向において前記基端部をシート外側にし、前記折り倒し先端をシート内側にして並べて設けられていることを特徴とする。
【００１６】
上記発明では、引っ掛け部が、基端部をシート外側とし、折り倒し先端をシート内側とし、平面視でルーバーが延びる方向に並ぶ一対の切り込みにより形成されている。このため、カバーが吹出口グリルに載置されている状態において、切り込みの折り倒し先端側をルーバー間の隙間に押し込むことにより、切り込みにて形成されている一対の引っ掛け部は、互いに離間する方向に押し広げられる。これにより、引っ掛け部をルーバーの両端部付近のそれぞれに引っかけることができる。したがって、カバーを吹出口グリルにより的確に取り付けることができ、カバーの位置ずれをより的確に防止することができる。
【００１７】
第６の発明は、前記規制部は、前記ルーバー間の隙間に入り込む凹部を含むことを特徴とする。
【００１８】
上記発明の規制部は、ルーバー間の隙間に入り込む凹部を含んでいる。そして、凹部をルーバー間の隙間に入り込ませるようにカバーを吹出口グリルに載置する。これにより、水平方向の力がカバーに作用する場合であっても、凹部の水平方向の移動がルーバーによって規制される。これにより、カバーが吹出口グリルからずれることを防止できる。
【００１９】
第７の発明は、前記凹部は、平面視で前記ルーバーが延びる方向に沿って延びる長尺状のものであることを特徴とする。
【００２０】
上記発明の凹部は、平面視でルーバーが延びる方向に沿って延びる長尺状のものである。このため、凹部がルーバー間の隙間に入り込むようにカバーが吹出口グリルに取り付けられている状態において、吹出口グリルの設置面と凹部との間には、平面視でルーバーが延びる方向に沿って延びる空間が形成される。これにより、カバー上面に掃除機の吸引口が位置する場合であっても、平面視でルーバーが延びる方向に沿って延びる空間を介して吸引口へと空気が流れることとなる。したがって、掃除機の吸引口がカバーによって塞がれることを防止できる。よって、カバーが掃除機によって吸い上げられにくくなり、掃除機によるカバーの位置ずれの発生を抑制することができる。
【００２１】
第８の発明は、当該カバーは、前記吹出口グリルに取り付けられている状態において、当該カバーを空調空気が通過することに伴い音を発生する音発生部を備えていることを特徴とする。
【００２２】
長期間空調を行わない場合、ユーザによって吹出口グリルにカバーが取り付けられる。この場合、その後空調が開始されるときにおいて、ユーザによっては、カバーの取り外しを忘れ、カバーを吹出口グリルに取り付けたまま空調が行われることがある。この場合、空調装置の過負荷が生じたり、カバーが劣化したりする懸念がある。
【００２３】
そこで上記発明のカバーは、カバーが吹出口グリルに取り付けられている状態において、カバーを空調空気が通過することに伴い音を発生する音発生部を備えている。このため、カバーが吹出口グリルに取りつけられたまま空調が開始されると、音発生部が音を発生する。これにより、カバーを取りつけたまま空調が行われていることをユーザに知らせることができる。
【図面の簡単な説明】
【００２４】
【図１】第１実施形態にかかる建物の全館空調システムを示す図。
【図２】吹出口グリル及びカバーの斜視図。
【図３】カバーの平面図。
【図４】図３のＡ−Ａ線断面図。
【図５】図３のＢ−Ｂ線断面図。
【図６】第２実施形態にかかる吹出口グリル及びカバーの斜視図。
【図７】カバーが取り付けられている状態の吹出口グリルの断面図。
【図８】図７のＤ−Ｄ線断面図。
【図９】その他の実施形態にかかるカバーが取り付けられている状態の吹出口グリルの断面図。
【図１０】その他の実施形態にかかるカバーが取り付けられている状態の吹出口グリルの断面図。
【図１１】その他の実施形態にかかるカバーの平面図。
【発明を実施するための形態】
【００２５】
（第１実施形態）
以下に、本発明の吹出口グリルのカバーを具体化する第１実施形態について図面を参照しながら説明する。
【００２６】
図１に示すように、建物１０には、複数の居室２０と、収納室２１とが設けられている。収納室２１には、全館空調システムを構成する空調ユニット（室内機）３０が設置されている。空調ユニット３０には、建物１０内の各居室２０に温風又は冷風を給送する送風ダクト３１が接続されている。なお本実施形態では、送風ダクト３１が、建物１０の床下空間２２に配置されている。
【００２７】
各居室２０の床板部２０ａには、その床板部２０ａを貫通する開口部２０ｂが形成され、開口部２０ｂには、吹出口グリル４０が取り付けられている。吹出口グリル４０は、空調ユニット３０から送風ダクト３１を通じて給送された温風や冷風を上方に向かって吹き出す。これにより、各居室２０の冷暖房が行われる。
【００２８】
続いて、図２を用いて、吹出口グリル４０の構成について説明する。吹出口グリル４０は、グリル周縁部４０ａと、複数のルーバー４０ｂとを備えている。グリル周縁部４０ａは、長方形枠状をなしており、吹出口グリル４０を床板部２０ａに取り付けるためのものである。
【００２９】
複数のルーバー４０ｂのそれぞれは、グリル周縁部４０ａの長手方向に延びる一対の長辺部に架け渡された状態で、等間隔をあけて並列に並べて設けられている。各ルーバー４０ｂは、薄板状をなし、鉛直方向に延びる向きでそれぞれ設けられている。なお、吹出口グリル４０は、各ルーバー４０ｂの下方に可動式のルーバーを備えていてもよい。
【００３０】
続いて、図２及び図３を用いて、吹出口グリル４０に取り付けられるカバー５０について説明する。
【００３１】
カバー５０は、シート材により形成され、矩形形状をなしている。本実施形態において、カバー５０は、比較的柔らかい材料である樹脂により形成されている。より具体的には、カバー５０は、柔軟性を有する合成樹脂（例えばポリ塩化ビニル）により形成されている。カバー５０を吹出口グリル４０の上に載置することで、グリル周縁部４０ａを含む吹出口グリル４０全体がカバー５０に覆われるようになっている。
【００３２】
図２に示すように、カバー５０の長手方向の両端部付近のそれぞれには、一対の引っ掛け部５１が形成されている。図３に、吹出口グリル４０の上に載置されている状態のカバー５０の部分拡大図を示す。なお図３では、引っ掛け部５１付近のルーバー４０ｂのみ破線にて示している。
【００３３】
一対の引っ掛け部５１のそれぞれは、カバー５０が吹出口グリル４０の上に載置されている状態において、カバー５０のうちルーバー４０ｂ間の隙間に対向する部分に切り込みにて形成されている。切り込みは、一端が折り倒しの基端となり、他端が自由端となる長尺状のものである。一対の切り込みは、平面視でルーバー４０ｂが延びる方向において、折り倒しの基端をシート外側にし、折り倒し先端をシート内側にして並べて設けられている。
【００３４】
一対の長尺状の切り込みのそれぞれのうち、基端側の直線状の切り込み５１ａにてアーム部５２が形成され、自由端側の円弧状の切り込み５１ｂにて拡張部５３が形成されている。本実施形態において、一対の直線状の切り込み５１ａのそれぞれは、長さが同一であり、また、ルーバー４０ｂが架け渡される方向と平行な方向に延びている。直線状の切り込み５１ａと円弧状の切り込み５１ｂとは連続している。拡張部５３の幅は、ルーバー４０ｂ間の隙間よりも大きい。また、アーム部５２の長さは、ルーバー４０ｂの鉛直方向の長さよりも大きい。
【００３５】
続いて、図４及び図５を用いて、吹出口グリル４０へのカバー５０の取り付け手法について説明する。ここで、図４は、引っ掛け部５１をルーバー４０ｂ間の隙間に押し込んだ状態における図３のＡ−Ａ線断面図であり、図５は、引っ掛け部５１をルーバー４０ｂ間の隙間に押し込んだ状態における図３のＢ−Ｂ線断面図である。
【００３６】
カバー５０が吹出口グリル４０の上に載置されている状態において、引っ掛け部５１の拡張部５３をルーバー４０ｂ間の隙間側に指や棒状の部材で押し込む。これにより、一対の引っ掛け部５１のそれぞれは、互いに離れながら湾曲変形し、ルーバー４０ｂの板面に拡張部５３を沿わせながらルーバー４０ｂ間の隙間に押し込まれる。これにより、拡張部５３が隣り合うルーバー４０ｂの底面に引っかかる。これにより、カバー５０を吹出口グリル４０に取り付けることができる。
【００３７】
なお、ルーバー４０ｂの底面に限らず、ルーバー４０ｂの側面に拡張部５３を引っ掛けることにより、カバー５０を吹出口グリル４０に取り付けてもよい。
【００３８】
以上詳述した本実施形態の効果を説明する。
【００３９】
カバー５０が吹出口グリル４０の上に載置されている状態において、カバー５０に切り込みを入れることで引っ掛け部５１を形成した。このため、カバー５０が吹出口グリル４０の上に載置されている状態で、引っ掛け部５１をルーバー４０ｂ間の隙間に押し込むことにより、拡張部５３がルーバー４０ｂの底面に引っ掛かる。これにより、カバー５０を吹出口グリル４０に取り付けることができ、カバー５０の水平方向及び上方への位置ずれを防止することができる。したがって、居室２０の空調が行われない期間において、吹出口グリル４０の吹出口からその内部に異物が入り込むことを防止することができる。
【００４０】
また、本実施形態によれば、引っ掛け部５１を押し込むといった簡易な方法でカバー５０を吹出口グリル４０に取り付けることができる。したがって、吹出口グリル４０の取り付けの手間を低減させることができ、先の図１に示すように建物１０内に複数の吹出口グリル４０がある場合であっても、作業に要する労力を低減できる。
【００４１】
引っ掛け部５１をカバー５０の切り込みにて形成した。このため、吹出口グリル４０に取り付けない状態でカバー５０を運搬したり保管したりする場合、カバー５０を面状の平坦な部材として取り扱うことができる。これにより、保管時等においてカバー５０がかさばることを回避することができる。
【００４２】
一対の引っ掛け部５１のそれぞれを形成する切り込みを、平面視でルーバー４０ｂが延びる方向において、折り倒しの基端をシート外側にし、折り倒し先端をシート内側にして並べて設けた。そして、一対の切り込みのそれぞれのうち、基端側の直線状の切り込み５１ａにてアーム部５２を形成し、自由端側の円弧状の切り込み５１ｂにて拡張部５３を形成した。このため、カバー５０の対向する縁部付近のそれぞれに拡張部５３を引っかけることができる。したがって、カバー５０を吹出口グリル４０により的確に取り付けることができ、カバー５０の位置ずれをより的確に防止することができる。
【００４３】
ルーバー４０ｂの板面に拡張部５３を沿わせながら引っ掛け部５１をルーバー４０ｂ間の隙間に押し込み可能なように、アーム部５２を形成した。このため、引っ掛け部５１をルーバー４０ｂ間の隙間に押し込む場合のアーム部５２のねじれを抑制できる。これにより、引っ掛け部５１をルーバー４０ｂ間の隙間に容易に押し込むことができ、カバー５０の取り付け性を向上させることができる。
【００４４】
カバー５０をシート状とした。このため、カバー５０が吹出口グリル４０に取り付けられている状態において、カバー５０が人の通行や物の配置の妨げになることを回避できる。
【００４５】
（第２実施形態）
以下、第２実施形態について、上記第１実施形態との相違点を中心に図面を参照しつつ説明する。本実施形態では、カバーの位置ずれを規制するための構成を変更する。なお本実施形態では、上記第１実施形態で説明した構成と同一の構成については、便宜上、同一の符号を付している。
【００４６】
図６に、本実施形態にかかるカバー６０及び吹出口グリル４０の斜視図を示し、図７に、カバー６０が吹出口グリル４０の上に載置されている状態における図６のＣ−Ｃ線断面図を示す。なお、便宜上、図７に示すルーバー４０ｂの数を図６に示すルーバー４０ｂの数よりも少なくして示している。
【００４７】
本実施形態にかかるカバー６０は、上記第１実施形態と同様に、シート材により形成され、矩形形状をなしている。また、カバー６０は、比較的柔らかい材料である合成樹脂により形成されている。カバー６０を吹出口グリル４０の上に載置することで、グリル周縁部４０ａを含む吹出口グリル４０全体がカバー６０に覆われるようになっている。
【００４８】
図７に示すように、カバー６０には、カバー６０のうちグリル周縁部４０ａに載置される部分に対してルーバー４０ｂ間の隙間側に凹む形状をなす凹部６０ａが形成されている。本実施形態では、カバー６０のうち隣り合うルーバー４０ｂ間の全ての隙間のそれぞれに対向する部分に凹部６０ａが波状に形成されている。凹部６０ａは、平面視でルーバー４０ｂが延びる方向に沿って延びる長尺状のものである。凹部６０ａがルーバー４０ｂ間の隙間に入り込むようにカバー６０を吹出口グリル４０の上に載置することで、吹出口グリル４０にカバー６０が取り付けられる。
【００４９】
図８に、吹出口グリル４０が床板部２０ａに設置されている状態における図７のＤ−Ｄ線断面図を示す。
【００５０】
グリル周縁部４０ａと凹部６０ａとの間には、平面視でルーバー４０ｂが延びる方向に沿って延びる空間が形成される。このため、カバー６０上面に掃除機７０の吸引口が位置する場合であっても、ルーバー４０ｂが延びる方向に沿って延びる空間を介して掃除機７０の吸引口へと空気が流れることとなる。したがって、掃除機７０の吸引口がカバー６０によって塞がれることを防止できる。よって、カバー６０が掃除機７０によって吸い上げられにくくなり、掃除機７０によるカバー６０の位置ずれの発生を抑制することができる。
【００５１】
以上詳述した本実施形態の効果を説明する。
【００５２】
ルーバー４０ｂ間の隙間に入り込む凹部６０ａをカバー６０に形成した。これにより、水平方向の力がカバー６０に作用する場合であっても、凹部６０ａの水平方向の移動がルーバー４０ｂによって規制される。これにより、カバー６０が吹出口グリル４０からずれることを防止できる。したがって、吹出口グリル４０の吹出口からその内部に異物が入り込むことを防止することができる。
【００５３】
ルーバー４０ｂが延びる方向に沿って延びる長尺状の凹部６０ａをカバー６０に形成した。このため、カバー６０の上面に掃除機７０の吸引口が位置する場合であっても、掃除機７０の吸引口がカバー６０によって塞がれることを防止できる。これにより、カバー６０が掃除機７０によって吸い上げられにくくなり、掃除機７０によるカバー６０の位置ずれの発生を抑制することができる。
【００５４】
カバー６０の両面のうち一方の面にのみ凹部６０ａを形成した。このため、カバー６０が吹出口グリル４０に取り付けられている状態において、カバー６０が上方に突出しない。このため、カバー６０が人の通行や物の配置の妨げになることを回避できる。
【００５５】
本発明は上記各実施形態に限らず、例えば次のように実施されてもよい。
【００５６】
・上記第２実施形態では、カバー６０の一方の面に凹部６０ａを形成した。この構成に加えて、図９に示すように、カバー６０の他方の面において、隣り合う凹部６０ａの間に凸部６０ｂを形成してもよい。この場合、凹部６０ａがルーバー４０ｂ間の隙間に入り込むようにカバー６０が吹出口グリル４０に取り付けられた状態において、凸部６０ｂは、カバー６０のうちグリル周縁部４０ａに載置される部分に対して上方に突出する。カバー６０の凹部６０ａ又は凸部６０ｂのいずれもルーバー４０ｂ間の隙間に入り込むことが可能であるため、カバー６０の表裏を気にすることなく、カバー６０を吹出口グリル４０に取り付けることができる。
【００５７】
・上記第２実施形態では、カバー６０のうちルーバー４０ｂ間の全ての隙間に対向する部分に凹部６０ａを形成したがこれに限らず、隣り合うルーバー４０ｂの間の一部の隙間に対向する部分に凹部６０ａを形成してもよい。
【００５８】
・上記第１実施形態では、各ルーバー４０ｂが鉛直方向に延びる向きでそれぞれ設けられていたがこれに限らない。図１０に示すように、薄板状の各ルーバー４０ｃが鉛直方向に対して傾斜した方向に延びる向きでそれぞれ設けられていてもよい。なお図１０において、グリル周縁部４０ａは、上記第１実施形態と同様の構成である。この場合におけるカバーについて、図１０及び図１１を用いて説明する。
【００５９】
カバー８０は、上記第１実施形態と同様に、シート材により形成され、矩形形状をなしている。また、カバー８０は、比較的柔らかい材料である合成樹脂により形成されている。
【００６０】
図１１に示すように、カバー８０には一対の切り込みが形成されている。一対の切り込みは、平面視でルーバー４０ｃが延びる方向において、折り倒しの基端をシート外側にし、折り倒し先端をシート内側にして並べて設けられている。一対の切り込みのそれぞれのうち、基端側の直線状の切り込み８１ａにてアーム部８２が形成され、自由端側の円弧状の切り込み８１ｂにて拡張部８３が形成されている。一対の直線状の切り込み８１ａのそれぞれは、長さが互いに相違しており、また、平面視でルーバー４０ｂが延びる方向と平行な方向に延びている。アーム部８２及び拡張部８３により、引っ掛け部８１が形成されている。
【００６１】
続いて、カバー８０の取り付け手法について説明する。カバー８０が吹出口グリル４０の上に載置されている状態において、拡張部８３をルーバー４０ｃ間の隙間側に指や棒状の部材で押し込む。これにより、図１１に示す２点鎖線付近の基準に引っ掛け部８１を湾曲変形させることができる。したがって、図１０に示すように、ルーバー４０ｃの板面に拡張部８３を沿わせながら引っ掛け部８１をルーバー４０ｃ間の隙間に押し込むことができる。
【００６２】
・上記第１実施形態において、カバー５０が吹出口グリル４０に取り付けられている状態において、引っ掛け部５１の切り込みによってカバー５０に形成された貫通孔を空調空気が通過すると、カバー５０から音が発生するような引っ掛け部５１の切り込み形状としてもよい。この場合、カバー５０を取りつけたまま空調が行われていることをユーザに知らせることができる。したがって、カバー５０を取りつけたまま、長期間に渡って空調ユニット３０が駆動されることを回避できる。
【００６３】
・上記各実施形態では、カバーを比較的柔らかい材料により形成したがこれに限らず、例えば、金属材料等、比較的硬い材料により形成してもよい。この場合、カバーが吹出口グリルに取り付けられている状態において、カバーを空調空気が通過することに伴い音を発生する笛部材をカバーに備えてもよい。
【００６４】
・上記第１実施形態で説明した引っ掛け部と、上記第２実施形態で説明した凹部との双方をカバーに形成してもよい。具体的には例えば、平面視でルーバーが並ぶ方向において、カバーの両端部付近のそれぞれに引っ掛け部を形成し、カバーのうち引っ掛け部が形成される両端部付近に挟まれる部分に凹部を形成すればよい。
【００６５】
・上記各実施形態では、カバーの一部をルーバーに引っ掛ける部分を、カバーの一部により形成したがこれに限らず、フック状の部材等、カバーとは別部材により形成してもよい。
【００６６】
・吹出口グリルの形状としては、矩形形状に限らず、例えば円形状であってもよい。
【００６７】
・吹出口グリルが設けられる設置面としては、床面に限らない。例えば、窓台や、階段等のステップを吹出口グリルの設置面としてもよい。
【符号の説明】
【００６８】
４０…吹出口グリル、４０ｂ…グリル周縁部、４０ｂ…ルーバー、５０…カバー、５１…引っ掛け部。
【図１】
0006482952.tif 000002
【図２】
0006482952.tif 000003
【図３】
0006482952.tif 000004
【図４】
0006482952.tif 000005
【図５】
0006482952.tif 000006
【図６】
0006482952.tif 000007
【図７】
0006482952.tif 000008
【図８】
0006482952.tif 000009
【図９】
0006482952.tif 000010
【図１０】
0006482952.tif 000011
【図１１】
0006482952.tif 000012